(57)【要約】【課題】外部機器との接続状態を簡単に知ることができるようにする。【解決手段】接続端子に機器が接続されているか否かを判別し、機器が接続されている場合に前記接続端子の位置を記憶し、記憶された位置に応じて接続されていることを通知するようにして、使用している外部接続端子の確認や外部機器の取り外しを容易にかつ正確に行うことができるようにする。【選択図】図９
2007128353.tif 000002
【特許請求の範囲】
【請求項１】
少なくとも１つの接続端子を有する情報処理装置であって、
前記接続端子に機器が接続されているか否かを判別する接続判別手段と、
前記接続判別手段の判別の結果に基づいて、機器が接続された接続端子に対応する表示部の位置に接続通知表示を行う接続通知表示手段とを備えることを特徴とする情報処理装置。
【請求項２】
前記接続通知表示手段は、前記機器が接続された接続端子に対応する表示部上に、機器が接続されたことを文字列として表示して前記接続通知表示を行うことを特徴とする請求項１に記載の情報処理装置。
【請求項３】
前記接続端子に接続された機器から送られる機器情報を受け取る機器情報受取手段とを備え、
前記接続通知表示手段は、前記機器情報受取手段によって受け取った機器情報に基づいて接続通知表示を行うことを特徴とする請求項１または２に記載の情報処理装置。
【請求項４】
少なくとも１つの接続端子を有する情報処理装置の制御方法であって、
前記接続端子に機器が接続されているか否かを判別する接続判別工程と、
前記接続判別工程の判別の結果に基づいて、機器が接続された接続端子に対応する表示部の位置に接続通知表示を行う接続通知表示工程とを備えることを特徴とする情報処理装置の制御方法。
【請求項５】
前記接続通知表示工程は、前記機器が接続された接続端子に対応する表示部上に、機器が接続されたことを文字列として表示して前記接続通知表示を行うことを特徴とする請求項４に記載の情報処理装置の制御方法。
【請求項６】
前記接続端子に接続された機器から送られる機器情報を受け取る機器情報受取工程とを備え、
前記接続通知表示工程において、前記機器情報受取工程によって受け取った機器情報に基づいて接続通知表示が行われることを特徴とする請求項４または５に記載の情報処理装置の制御方法。
【請求項７】
少なくとも１つの接続端子を有する情報処理装置の制御方法をコンピュータに実行させるプログラムであって、
前記接続端子に機器が接続されているか否かを判別する接続判別工程と、
前記接続判別工程の判別の結果に基づいて、機器が接続された接続端子に対応する表示部の位置に応じた接続通知表示を行う接続通知表示工程とを備える情報処理装置の制御方法をコンピュータに実行させることを特徴とするコンピュータプログラム。
【請求項８】
前記請求項７に記載のコンピュータプログラムを記録したことを特徴とするコンピュータ読み取り可能な記録媒体。
【発明の詳細な説明】
【技術分野】
【０００１】
本発明は情報処理装置、情報処理装置の制御方法、コンピュータプログラム及び記録媒体に関し、例えば接続されている機器を確認する際に用いて好適な技術に関する。
【背景技術】
【０００２】
従来、機器の多くは外部機器と接続するための接続端子を有している。例えば、テレビジョン受像機はビデオ入力端子を有しており、パーソナルコンピュータ（ＰＣ）はＵＳＢ端子を有している。
【０００３】
従来のテレビジョン受像機の場合において、ビデオ入力端子に機器を接続し、実際に機器からデータを受信できたかどうかを確認したい場合は、ユーザはテレビジョン受像機のチャンネルをビデオ入力に設定して確認をしていた。また、電源を入れた際にビデオ入力端子にデータが送られているかどうかを表示部上の特定位置に表示するテレビジョン受像機もあった。
【０００４】
それに対して、ＵＳＢ端子を備えたＰＣの場合においては、ＵＳＢ端子を介して機器が初めて接続された場合、ＰＣの画面中央にダイアログが表示され、新しい機器が接続されたことがユーザに表示される機能を有する。また、このとき対応するドライバが見つからない場合は、ドライバが見つからなかったという旨のエラーが表示される。
【０００５】
一方、その機器に接続されたのが初めてではなかった場合は、ダイアログによる通知は行われない。そのため、接続されているＵＳＢ機器を確認したい場合は、ユーザがアプリケーションからその機器にアクセスしたりする必要があった。
【０００６】
近年、ＰＣのみならずテレビジョン受像機に対しても接続可能な外部機器は増加しており、それに伴い機器が備える接続端子の種類・個数も増加する傾向にある（例えば、特許文献１参照）。
【０００７】
【特許文献１】特開平１０−４２２０３号公報
【発明の開示】
【発明が解決しようとする課題】
【０００８】
現在テレビジョン受像機に接続されている機器をユーザが確認する場合、対応するチャンネルに切り替えて確認するか、接続端子から接続ケーブルをたどって直接機器を確認する必要があった。これは、接続端子に接続されている機器を取り外したい場合に、ある機器を取り外す場合にはどのケーブルを抜けば良いのかを確認する際も同様であり、非常に面倒であった。
【０００９】
本発明は前述の問題点に鑑み、外部機器との接続状態を簡単に知ることができるようにすることを目的としている。
【課題を解決するための手段】
【００１０】
本発明の情報処理装置は、少なくとも１つの接続端子を有する情報処理装置であって、前記接続端子に機器が接続されているか否かを判別する接続判別手段と、前記接続判別手段の判別の結果に基づいて、機器が接続された接続端子に対応する表示部の位置に接続通知表示を行う接続通知表示手段とを備えることを特徴とする。
【００１１】
本発明の情報処理装置の制御方法は、少なくとも１つの接続端子を有する情報処理装置の制御方法であって、前記接続端子に機器が接続されているか否かを判別する接続判別工程と、前記接続判別工程の判別の結果に基づいて、機器が接続された接続端子に対応する表示部の位置に接続通知表示を行う接続通知表示工程とを備えることを特徴とする。
【００１２】
本発明のコンピュータプログラムは、少なくとも１つの接続端子を有する情報処理装置の制御方法をコンピュータに実行させるプログラムであって、前記接続端子に機器が接続されているか否かを判別する接続判別工程と、前記接続判別工程の判別の結果に基づいて、機器が接続された接続端子に対応する表示部の位置に接続通知表示を行う接続通知工程とを備える情報処理装置の制御方法をコンピュータに実行させることを特徴とする。
【００１３】
本発明の記録媒体は、前記に記載のコンピュータプログラムを記録したことを特徴とする。
【発明の効果】
【００１４】
本発明によれば、接続端子に機器が接続されているか否かを判別し、機器が接続されている場合には、機器が接続された接続端子に対応する表示部の位置に接続通知表示を行うようにしたので、外部機器の接続状態を簡単に知ることができる。これにより、使用している外部接続端子の確認や外部機器の取り外しを容易にかつ正確に行うことができる。
【発明を実施するための最良の形態】
【００１５】
（第１の実施形態）
以下、図面を参照して、本発明における情報処理装置の実施形態を説明する。本実施形態では、本発明における情報処理装置としてテレビジョン受像機を例に説明する。
図３は、本実施形態におけるテレビジョン受像機を含むシステムの構成例を示す図である。
図３に示すように、モノクロプリンタ３０２、デジタルカメラ３０３は、テレビジョン受像機３０１の第１のＵＳＢ端子または第２のＵＳＢ端子に接続可能となっている。
【００１６】
図１は、本実施形態に係るテレビジョン受像機３０１の構成例を示すブロック図である。
図１において、接続端子位置記憶部１０４は、第１のＵＳＢ端子１０６及び第２のＵＳＢ端子１０７が機器のどの位置にあるかを記憶している。接続判別部１０５は、第１のＵＳＢ端子１０６または第２のＵＳＢ端子１０７の何れかに機器が接続されたかどうかを判別する。
【００１７】
接続通知生成部１０３は、ＵＳＢ端子の位置に応じた通知情報を生成し、表示制御部１０２を通じて表示部１０１に表示する。本実施形態においては、第１のＵＳＢ端子１０６はテレビジョン受像機３０１の背面に位置し、第２のＵＳＢ端子１０７はテレビジョン受像機３０１の前面に位置する。
【００１８】
図１に示した構成は、本実施形態に係る組み込み機器の一部を示したものであり、装置によっては、この他、カラープリンタ、スキャナ、ビデオ、ビデオカメラ等が装置の構成に加わる場合がある。また、ソフトウェア等で本発明を実現する場合等には、図１の各ブロックを必ずしも装置内に持っていなくてもよい。
【００１９】
図１６に、テレビジョン受像機３０１を構成可能なハードウェアの一例を示す。
【００２０】
図１６において、１６００はテレビジョン受像機である。テレビジョン受像機１６００は、ＣＰＵ１６０１を備え、ＲＯＭ１６０２またはハードディスク（ＨＤ）１６１１に記憶されたデバイス制御ソフトウェアを実行する。また、システムバス１６０４に接続される各デバイスを総括的に制御する。
【００２１】
前記テレビジョン受像機１６００のＣＰＵ１６０１、ＲＯＭ１６０２またはハードディスク（ＨＤ）１６１１に記憶されたプログラムにより、本実施の形態の各機能手段が構成される。
【００２２】
１６０３はＲＡＭで、ＣＰＵ１６０１の主メモリ、ワークエリア等として機能する。１６０６は表示制御回路であり、表示装置１６１０上の表示制御を行う。１６０７はディスクコントローラ（ＤＫＣ）で、ブートプログラム（起動プログラム：ハードやソフトの実行（動作）を開始するプログラム）、複数のアプリケーション、編集ファイル、ユーザファイルそしてネットワーク管理プログラム等を記憶するハードディスク（ＨＤ）１６１１とのアクセスを制御する。
【００２３】
１６０８はネットワークインタフェース（Ｉ／Ｆ）で、ＬＡＮ１６２０を介して、ネットワークプリンタ、他のネットワーク機器、あるいは他のＰＣと双方向のデータのやり取りを行う。本実施形態においては、ＵＳＢ端子が前記ネットワークインタフェース１６０８に相当する。
【００２４】
図１２は、本実施形態において、接続端子位置記憶部１０４に含まれるデータを示す図である。データは表形式であり、端子番号１２０１はどの端子のデータであるかを示しており、基準座標１２０２は接続通知を出す場合に表示部１０１上での基準となる位置を示している。また、背面フラグ１２０３はＵＳＢ端子がテレビジョン受像機３０１の背面にあるかどうかを示している。
【００２５】
第１のＵＳＢ端子１０６については端子番号１２０１が「１」にセットされ、第２のＵＳＢ端子１０７については端子番号１２０１が「２」にセットされている。基準座標１２０２には表示部１０１上でＵＳＢ接続端子に近い位置の座標がセットされている。背面フラグ１２０３は背面にある場合は「１」にセットされ、そうでない場合は「０」にセットされている。
【００２６】
以下、図２のフローチャートに従って本実施形態のテレビジョン受像機の動作を説明する。
図２は、本実施形態において、接続通知情報を表示する手順の一例を示すテレビジョン受像機１０３のフローチャートである。本実施形態では、第２のＵＳＢ端子１０７にデジタルカメラ３０３が接続された例について説明する。
まず、接続判別部１０５は、第１のＵＳＢ端子１０６に機器が接続されたかどうかを判別する（ステップＳ２０１）。この判別の結果、機器が接続された場合は、ステップＳ２０２に進む。
【００２７】
一方、ステップＳ２０１の判別の結果、機器が接続されなかった場合は、ステップＳ２０５に進み、第２のＵＳＢ端子１０７に機器が接続されたかどうかを判別する（ステップＳ２０５）。この判別の結果、機器が接続された場合は、ステップ２０２に進む。一方、ステップＳ２０５の判別の結果、機器が接続されなかった場合は処理を終了する。本実施形態では、第２のＵＳＢ端子１０７にデジタルカメラ３０３が接続されたので、ステップＳ２０２に進む。
【００２８】
どのＵＳＢ端子に機器が接続されたかがわかったら、接続通知生成部１０３は、接続端子位置記憶部１０４からＵＳＢ端子の位置情報を読み出す（ステップＳ２０２）。本実施形態では、第２のＵＳＢ端子１０７に機器が接続されたので、図１２に示す端子番号１２０１の「２」が読み出される。
【００２９】
次に、接続通知生成部１０３は、接続通知情報を生成する（ステップＳ２０３）。接続通知情報には文字列が含まれている。識別子である端子番号１２０１が「１」であれば、「第１のＵＳＢ端子に機器が接続されました」という文字列が生成され、端子番号１２０１が「２」であれば、図４に示すように「第２のＵＳＢ端子に機器が接続されました」という文字列が生成される。また、背景としてこの文字列を囲む矩形も生成される。
【００３０】
次に、表示制御部１０２は、表示部１０１上にステップＳ２０３において生成された接続通知情報を表示させる（ステップＳ２０４）。本実施形態においては、図５に示すように、第２のＵＳＢ端子１０７に機器が接続された場合は、接続通知情報５０１を表示する位置は、ＵＳＢ端子の位置情報に基づき表示部１０１内の第２のＵＳＢ端子１０７に近接した位置になる。基準座標１２０２は図１２に示すように（１００、５００）であるため、表示部１０１上の対応する（１００、５００）の位置を基準として接続通知情報５０１が表示される。
【００３１】
このように、機器が接続された第２のＵＳＢ端子１０７の横に接続通知情報５０１が表示され、第２のＵＳＢ端子１０７に機器が接続されたことを表示部１０１上でユーザは確認することができる。表示後、処理を終了する。なお、本実施の形態では、図５に示すように、第１のＵＳＢ端子１０６は、表示部１０１の背面に位置している。第１のＵＳＢ端子１０６に機器が接続された場合、第１のＵＳＢ端子１０６に近接した表示部１０１上の位置に接続通知情報が表示されることになる。
【００３２】
（第２の実施形態）
第１の実施形態においては、どのＵＳＢ端子に機器が接続されたかを表示する例について説明したが、本実施形態では、どのような機器が現在接続されているかを表示する例について説明する。なお、第１の実施形態と同一の構成については同一の番号を付しており、重複する構成については説明を省略する。
【００３３】
図６は、本実施形態に係るテレビジョン受像機３０１の構成を示すブロック図である。
図６において、機器情報記憶部６０１は、各ＵＳＢ端子に接続可能な機器の機器情報を記憶する。機器情報受信部６０２は、第１のＵＳＢ端子１０６及び第２のＵＳＢ端子１０７に接続された機器から送られる機器情報を受信する。接続通知要求受信部６０３は、ユーザが操作するリモコンからの接続通知要求を受信する。Base64復号部６０４は、base64エンコーディングされた文字列の復号を行う。構造化文書解析部６０５は、ＸＭＬデータを解析する。
【００３４】
図６に示した構成は、本実施形態に係る組み込み機器の一部を示したものであり、装置によっては、この他、カラープリンタ、スキャナ、ビデオ、ビデオカメラ等が装置の構成に加わる場合がある。また、ソフトウェア等で本発明を実現する場合等には、図６の各ブロックを必ずしも装置内に持っていなくてもよい。
【００３５】
以下、図７、図８のフローチャートに従って本実施形態のテレビジョン受像機３０１の動作を説明する。
図７は、本実施形態において機器情報を記憶する手順の一例を示すテレビジョン受像機３０１のフローチャートである。
まず、接続判別部１０５は、第１のＵＳＢ端子１０６に機器が接続されたかどうかを判別する（ステップＳ７０１）。この判別の結果、機器が接続された場合は、ステップＳ７０２に進み、機器情報記憶部６０１に記憶されている接続フラグを「１」にセットする。接続フラグについては、図１５を参照しながら後述する。一方、ステップＳ７０１の判別の結果、機器が接続されていない場合は、ステップＳ７０３に進む。
【００３６】
ステップＳ７０３において、第２のＵＳＢ端子１０７に機器が接続されたかどうかを判別する。この判別の結果、接続された場合は、ステップＳ７０２に進み、機器情報記憶部６０１に記憶されている接続フラグを「１」にセットする。一方、ステップＳ７０３の判別の結果、機器が接続されていない場合は、処理を終了する。
【００３７】
次に、ＰＴＰ（Picture Transfer Protocol）を用いて機器情報受信部６０２は、機器から機器情報が送信されているか否かを確認する（ステップＳ７０４）。この確認の結果、機器情報が送信されている場合は、機器情報受信部６０２は、機器情報を受信する（ステップＳ７０５）。また、ステップＳ７０４の判別の結果、機器が接続されていない場合には処理を終了する。
【００３８】
本実施形態では、モノクロプリンタ３０２からは、図１３において符号１３０で示したようなＸＭＬ（Extensible Markup Language）形式の文字列が送信される。この文字列において、device名前空間（http://www.canon.co.jp/device）のroot要素は機器情報のroot要素である。device名前空間のname要素の内容は機種名であり、「プリンタＡ」という文字列が記述されている。
【００３９】
また、デジタルカメラ３０３からは、図１４において符号１４０で示したようなＸＭＬ形式の文字列が送信される。この文字列において、device名前空間のname要素の内容は機種名であり、「デジタルカメラＢ」という文字列が記述されている。device名前空間のthumbnail要素はsrc属性の値としてサムネイル画像データを含み、接続通知生成部１０３が接続通知に利用可能になっている。本実施形態ではsrc属性の値としてbase64エンコーディングされたpngフォーマットの画像データが文字列として記述されている。これらの機器情報は機器情報受信部６０２に送信される。
【００４０】
次に、受信した機器情報を機器情報記憶部６０１に記憶し（ステップＳ７０６）、その後処理を終了する。
【００４１】
図１５は、本実施形態における機器情報記憶部６０１に記憶されている情報を示す図である。機器番号の欄１５０１には、機器の番号がセットされており、接続フラグの欄１５０２には機器がＵＳＢ端子に接続されていれば「１」に、接続されていなければ「０」にセットされる。また、機器情報の欄１５０３には接続された機器の情報を受け取っていればその情報がセットされる。本実施の形態では、新たな機器がテレビジョン受像機３０１に接続されるたびに、機器情報記憶部６０１において機器番号の項目が追加され、機器情報が登録されるものとする。
【００４２】
図８は、本実施形態において機器情報記憶部６０１に記憶された機器情報に基づいて接続通知情報を表示する手順の一例を示すテレビジョン受像機３０１のフローチャートである。
まず、接続通知要求受信部６０３は、ユーザによるリモコンの操作によって接続通知要求が送信されたか否かを判別する（ステップＳ８０１）。
【００４３】
この判別の結果、接続通知要求が送信されていない場合は、処理を終了する。一方、ステップＳ８０１の判別の結果、接続通知要求が送信された場合は、ステップＳ８０２に進み、接続通知生成部１０３は、全てのＵＳＢ端子をチェックしたか否かを判別する。
【００４４】
この判別の結果、全てのＵＳＢ端子をチェックした場合は、処理を終了する。一方、ステップＳ８０２の判別の結果、全てのＵＳＢ端子をチェックしていない場合は、ステップＳ８０３に進み、接続通知生成部１０３は、機器情報記憶部６０１がＵＳＢ端子に接続された機器の機器情報を記憶しているか否かを確認する。
【００４５】
この確認の結果、機器情報を記憶していない場合は、ステップＳ８０４に進み、接続通知生成部１０３は、接続フラグが「１」であるか否かを判別する。この判別の結果、接続フラグが「１」である場合は、ステップＳ８１０にジャンプする。また、ステップＳ８０４の判別の結果、接続フラグが「０」である場合は、ステップＳ８０２に戻る。
【００４６】
一方、ステップＳ８０３の確認の結果、機器情報を記憶している場合は、接続通知生成部１０３は、その機器情報を読み出す（ステップＳ８０５）。本実施形態では第１のＵＳＢ端子１０６には機器情報として図１３に示す情報が記憶されており、第２のＵＳＢ端子１０７には機器情報として図１４に示す情報が記憶されている。
【００４７】
次に、構造化文書解析部６０５は、機器情報を解析し（ステップＳ８０６）、device名前空間のname要素の内容から機種名を得る。次に、構造化文書解析部６０５は、機器情報がdevice名前空間のthumbnail要素を含んでいるか否かを判別する（ステップＳ８０７）。この判別の結果、thumbnail要素を含んでいない場合は、ステップＳ８１０にジャンプする。
【００４８】
一方、ステップＳ８０７の判別の結果、thumbnail要素を含んでいる場合は、src属性値がbase64エンコーディングされた文字列であるか否かを判別する（ステップＳ８０８）。この判別の結果、base64エンコーディングされた文字列でない場合は、ステップＳ８１０にジャンプする。一方、ステップＳ８０８の判別の結果、src属性値がbase64エンコーディングされた文字列である場合は、Base64復号部６０４は、その文字列の復号を行う（ステップＳ８０９）。
【００４９】
前述した処理により、ＵＳＢ端子に接続された機器の機器情報または接続の有無がわかったら、接続通知生成部１０３は接続端子位置記憶部１０４からＵＳＢ端子の位置情報を読み出す（ステップＳ８１０）。
【００５０】
次に、接続通知生成部１０３は接続通知情報を生成する（ステップＳ８１１）。接続通知情報には文字列が含まれ、端子番号１２０１が「１」であれば「第１のＵＳＢ端子にプリンタＡが接続されています」、端子番号１２０１が「２」であれば「第２のＵＳＢ端子にデジタルカメラＢが接続されています」という文字列が生成される。
【００５１】
第２のＵＳＢ端子１０７の機器情報はサムネイル画像を含むので、このサムネイル画像データも接続通知情報としてさらに生成される。また、背景としてこの文字列およびサムネイル画像を囲む矩形も生成される。このとき背面にあるＵＳＢ端子の接続通知情報の色は前面にあるＵＳＢ端子の接続通知情報を反転したものになる。
【００５２】
本実施形態においては、図１１に示すように、第２の接続通知情報９０２は前面にある第２のＵＳＢ端子１０７の接続通知の文字色は黒、文字を囲む図形の色は白である。また、図１０に示すように、第１の接続通知情報９０１は背面にある第１のＵＳＢ端子１０６の接続通知の文字色は白、文字を囲む図形の色は黒である。
【００５３】
次に、表示制御部１０２は、表示部１０１に接続通知情報を表示させて（ステップＳ８１２）、ステップＳ８０２に戻る。
【００５４】
図９に示すように、接続通知情報を表示する位置は、ＵＳＢ端子の位置情報に基づき表示部１０１上で第１のＵＳＢ端子１０６または第２のＵＳＢ端子１０７に近い位置になる。
【００５５】
本実施形態では、第１のＵＳＢ端子１０６の基準座標１２０２は図１２に示すように（０、１００）、第２のＵＳＢ端子１０７の基準座標１２０２は（１００、５００）であるため、表示部１０１上の対応する位置に接続通知情報が表示される。このように、機器が接続された第１のＵＳＢ端子１０６及び第２のＵＳＢ端子１０７に対応する位置の横に接続通知情報が表示される。これにより、第１のＵＳＢ端子１０６と第２のＵＳＢ端子１０７に接続されている機器を表示部１０１上でユーザは確認することができる。
【００５６】
（本発明に係る他の実施形態）
前述した本発明の実施形態における情報処理装置を構成する各手段、並びに情報処理装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５７】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５８】
なお、本発明は、前述した実施形態の機能を実現するソフトウェアのプログラム（実施形態では図２、７、８に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００５９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６０】
その場合、プログラムの機能を有していれば、オブジェクトコード、インタプリタにより実行されるプログラム、ＯＳに供給するスクリプトデータ等の形態であってもよい。
【００６１】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６２】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６４】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６６】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６７】
【図１】本発明の第１の実施形態におけるテレビジョン受像機の構成例を示すブロック図である。
【図２】本発明の第１の実施形態における接続通知情報を表示する手順の一例を示すフローチャートである。
【図３】本発明の第１の実施形態におけるテレビジョン受像機を含むシステムの構成例を示す図である。
【図４】本発明の第１の実施形態における接続通知情報の文字列の一例を示す図である。
【図５】本発明の第１の実施形態における表示部上に表示される接続通知の一例を示す図である。
【図６】本発明の第２の実施形態におけるテレビジョン受像機の構成例を示すブロック図である。
【図７】本発明の第２の実施形態における機器情報を記憶する手順の一例を示すフローチャートである。
【図８】本発明の第２の実施形態における機器情報記憶部に記憶された機器情報に基づいて接続通知情報を表示する手順の一例を示すフローチャートである。
【図９】本発明の第２の実施形態における表示部上に表示される接続通知の一例を示す図である。
【図１０】本発明の第２の実施形態における接続通知情報の文字列の一例を示す図である。
【図１１】本発明の第２の実施形態における接続通知情報の文字列の一例を示す図である。
【図１２】本発明の第１の実施形態において接続端子位置記憶部に含まれるデータを示す図である。
【図１３】本発明の第２の実施形態におけるモノクロプリンタから送信されるＸＭＬ形式の文字列の一例を示す図である。
【図１４】本発明の第２の実施形態におけるデジタルカメラから送信されるＸＭＬ形式の文字列の一例を示す図である。
【図１５】本発明の第２の実施形態における機器情報記憶部に含まれる情報を示す図である。
【図１６】本発明の第１の実施形態におけるハード構成の一例を示すブロック図である。
【符号の説明】
【００６８】
１０１  表示部
１０２  表示制御部
１０３  接続通知生成部
１０４  接続端子位置記憶部
１０５  接続判別部
１０６  第１のＵＳＢ端子
１０７  第２のＵＳＢ端子
３０１  テレビジョン受像機
３０２  モノクロプリンタ
３０３  デジタルカメラ
５０１  接続通知情報
６０１  機器情報記憶部
６０２  機器情報受信部
６０３  接続通知要求受信部
９０１  第１の接続通知情報
９０２  第２の接続通知情報
【図１】
2007128353.tif 000003
【図２】
2007128353.tif 000004
【図３】
2007128353.tif 000005
【図４】
2007128353.tif 000006
【図５】
2007128353.tif 000007
【図６】
2007128353.tif 000008
【図７】
2007128353.tif 000009
【図８】
2007128353.tif 000010
【図９】
2007128353.tif 000011
【図１０】
2007128353.tif 000012
【図１１】
2007128353.tif 000013
【図１２】
2007128353.tif 000014
【図１３】
2007128353.tif 000015
【図１４】
2007128353.tif 000016
【図１５】
2007128353.tif 000017
【図１６】
2007128353.tif 000018